(57)【要約】【課題】  手に持って振るだけの簡単な操作で手軽に冷却できる。しかも極めて短時間で所期の温度まで冷やすことができる。また電気エネルギーを使わず廉価に製作できる。【解決手段】  蓋２を有する容器本体１の開口部に内蓋８を取り付ける。この内蓋８の中央部に、熱伝導性の良好な部材によってカップ状の被冷却物収容部９を形成し、このカップ状の被冷却物収容部９に蓋１０を取り付ける。そして、容器本体１内に、被冷却物収容部９に接するように所要の濃度の塩水６と所要量の氷７とからなる冷却材５を収納する。【選択図】図２
0003102570.tif 000002
【実用新案登録請求の範囲】
【請求項１】
蓋を有する容器本体の内部に、熱伝導性の良好な部材によって被冷却物収容部を形成し、この被冷却物収容部に接するように、所要濃度の塩水と所要量の氷とからなる冷却材を収納してなる簡易冷却冷凍器。
【請求項２】
容器本体の開口部に、所要の部材からなる内蓋を取り付けると共に、この内蓋の適宜箇所に、熱伝導性の良好な部材からなるカップ状の被冷却物収容部を形成し、このカップ状の被冷却物収容部に蓋を取り付けてなる請求項１記載の簡易冷却冷凍器。
【請求項３】
容器本体の開口部に、熱伝導性の良好な部材からなる被冷却物収容部を取り付けると共に、この被冷却物収容部を容器本体の内側に彎曲してなる請求項１記載の簡易冷却冷凍器。
【考案の詳細な説明】
【技術分野】
【０００１】
本考案は簡易冷却冷凍器に関し、更に詳細にはジュース類を冷却したり、あるいはミルク等を冷凍してアイスクリーム、アイスキャンディー、シャーベット等を作るために用いる簡易冷却冷凍器に関するものである。
【背景技術】
【０００２】
従来、ジュース類を冷したり、アイスクリーム、アイスキャンディー、シャーベット等を作るための道具としては、冷蔵庫や冷凍庫のような電気エネルギーを利用した大型の器具しかなかった。また、この場合には電気代もかかるため経済的にも手軽に使用できるものではなかった。
さらに、これらの冷蔵庫や冷凍庫を用いた場合でも、１〜３分といった極めて短時間のうちに所期の温度まで冷やすことはできなかった。
【０００３】
上記のような大型の器具類以外で、家庭で手軽に使用されていた保冷容器としては、容器の外周に冷媒を収容した冷媒層を形成した保冷容器があった。この保冷容器を使用するときは、あらかじめ冷凍庫などで冷媒層を凍結したのち、内部にジュースなどの被冷却物を入れて冷やすのである。
この保冷容器では、あらかじめ冷媒層を冷凍しなくてはならず手間がかかる上に、内部に収容したジュースなどを効率よく冷やすことはできなかった。
【考案の開示】
【考案が解決しようとする課題】
【０００４】
本考案は上記の従来例の問題点に鑑みなされたものであって、電気エネルギーを使わず、また低廉な費用でアイスクリーム等を製作することができ、しかも極めて短時間で被冷却物を所期の温度まで冷やすことができる簡易冷却冷凍器を提供することを目的とする。
【課題を解決するための手段】
【０００５】
本考案の要旨とするところは、蓋を有する容器本体の内部に、熱伝導性の良好な部材によって被冷却物収容部を形成し、この被冷却物収容部に接するように、所要濃度の塩水と所要量の氷とからなる冷却材を収納してなる簡易冷却冷凍器にある。
【０００６】
また、本考案の要旨とするところは、上記構成において、容器本体の開口部に、所要の部材からなる内蓋を取り付けると共に、この内蓋の適宜箇所に、熱伝導性の良好な部材からなるカップ状の被冷却物収容部を形成し、このカップ状の被冷却物収容部に蓋を取り付けることにある。
【０００７】
また、本考案の要旨とするところは、上記構成において、容器本体の開口部に熱伝導性の良好な部材からなる被冷却物収容部を取り付けると共に、この被冷却物収容部を容器本体の内側に彎曲してなることにある。
【考案の効果】
【０００８】
本考案は上記の如き構成であるから、人が手に持って振るだけの簡単な操作で手軽に被冷却物を冷却または冷凍して、ジュース類を冷やしたりアイスクリーム、アイスキャンディー、シャーベット等を作ることができる。そして、電気エネルギーを使わず、極めて短時間のうちに廉価で製作することができるのである。
【考案を実施するための最良の形態】
【０００９】
本考案を実施するための最良の形態は、蓋を有する容器本体の内部に金属等の熱伝導性の良好な部材によって被冷却物収容部を形成し、この被冷却物収容部に接するように、所要の温度の塩水と所要量の氷とからなる冷却部材を収納するものである。
【実施例１】
【００１０】
次に、図１ないし図３に示した本考案の実施例１について説明する。
図１は実施例１の一部切欠正面図、図２は実施例１の内蓋の平面図及び図３は実施例１の他例の内蓋の平面図である。
【００１１】
本実施例は、容器本体１の開口部に、プラスチックからなる内蓋８を着脱自在に取り付けると共に、この内蓋８の中央部に、熱伝導性の良好な部材、例えば、アルミニウム、銅等によってカップ状の被冷却物収容部９を形成し、この被冷却物収容部９を上記内蓋８に溶着あるいは嵌合して固定したものである。そして、内蓋８にはゴムのパッキン１２を周囲に形成した蓋１０を取り付けている。符号１３は蓋１０を貫通している柄である。
本実施例は、カップ状の被冷却物収容部９の内部で被冷却物４のミルク等を冷凍してアイスクリームやアイスキャンディーあるいはシャーベット等を作ることを主な目的としているが、ミルク等を冷却するためにも使用できる。
【００１２】
符号１１は容器本体１の側面に設けたハンドルである。また、容器本体１は高さ約１５ｃｍ、上端の直径を約８ｃｍとし、被冷却物収容部９は、高さ約５ｃｍ、直径約２ｃｍとしている。更に、このカップ状の被冷却物収容部９は、本実施例では内蓋８の中央部に一箇所設けた場合を示したが、図３に示すように複数箇所設けても良い。
【００１３】
符号５は前記容器本体１内に収納した所要濃度の塩水６と所要量の氷７とからなる冷却材である。また、この冷却材５は前記被冷却物収容部９に接するように収納されているのである。
なお、本明細書中、被冷却物収容部は、被冷却物のみならず被冷凍物も収容するものであり、また冷却部材は冷却のみならず冷凍も行えるものである。
【００１４】
本実施例により冷凍を行う場合には、まず、容器本体１の蓋２を開いた後に被冷却物収容部９の蓋１０を開く。そして被冷却物収容部９にミルク等の被冷却物４を収容し、その後再び蓋１０、蓋２を閉じる。
そしてこの状態でハンドル１１を把持し、容器本体１を振るのである。なお、容器本体１を振ることにより被冷却物収容部９の内部温度は急速に低下し、摂氏マイナス２０度になることもある。
【００１５】
このように容器本体１を振ることにより冷却材５の作用によって被冷却物収容部４は急速に冷却される。そして、振る時間によって冷却温度が変化し、長時間振れば冷却温度が下がる。したがって、処理すべき被冷却物の種類によって振る時間を適宜決定することができる。
【００１６】
被冷却物収容部９内部の被冷却物が冷凍後、この冷凍した被冷却物４を蓋１０と柄１３と共に被冷却物収容部９より取り外すのである。
なお、ジュース類であれば１〜２分で十分冷却される。それ以上の時間を振ると凍りつくおそれがある。また、ミルク等を冷凍してアイスクリームやアイスキャンディー、シャーベット等を作る場合には、３分程度振る必要がある。このように本実施例によれば１〜３分といった極めて短時間のうちに被冷却物を冷却あるいは冷凍することができる。
【実施例２】
【００１７】
次に、本考案の実施例２について説明する。本実施例では前記実施例１と同一の部材には同一の符号を付して詳細な説明は省略する。
図４は本考案の実施例２の中央縦断正面図である。
【００１８】
図中、符号１は蓋２を有する容器本体である。本実施例では、この容器本体１と蓋２はプラスチックによって製作した通常のコップ程度の大きさである。
本実施例の蓋部２は下面２ａが下方に湾曲していて、下面２ａと内蓋３との間には一定の間隔を有している。
【００１９】
符号３は前記容器本体１の開口部に着脱自在に取り付ける内蓋であり、実施例１と同様な熱伝導性の良好な部材によって製作している。そして、この内蓋３は、容器本体１の下方に向けて彎曲させて皿状としてあるため、図４に示すように蓋部２を閉めた状態では、上記蓋部２の湾曲した下面２ａとの間に間隙が形成される。この間隙に被冷却物４を入れて被冷却物収容部１９を形成しているのである。
また、この冷却材５は前記被冷却物収容部１９に接するように収納されているのである。
【００２０】
本実施例により冷却あるいは冷凍作業を行う場合には、蓋２を開いて被冷却物、例えばジュースの被冷却物４を被冷却物収容部１９に収容し、再び蓋２を閉じてから容器本体１を手に持って振ればよい。本実施例の作用効果は実施例１と同様である。
【００２１】
被冷却物４を冷却した場合には、蓋部２を外してから、他の容器に移せばよい。また被冷却物４を冷凍した場合には、内蓋３に凍結した被冷却物４をへら等で掻きだしながら食べることができる。
【図面の簡単な説明】
【００２２】
【図１】本考案の実施例１の一部切欠正面図
【図２】本考案の実施例１の内蓋の平面図
【図３】本考案の実施例１の他例の内蓋の平面図
【図４】本考案の実施例２の中央縦断正面図
【符号の説明】
【００２３】
１  容器本体
２  蓋
３  内蓋
４  被冷却物
５  冷却材
６  塩水
７  氷
８  内蓋
９  被冷却物収容部
１０  蓋
１１  ハンドル
１２  パッキン
１３  柄
１９  被冷却物収容部
【図１】
0003102570.tif 000003
【図２】
0003102570.tif 000004
【図３】
0003102570.tif 000005
【図４】
0003102570.tif 000006